(57)【要約】      （修正有）【課題】冊子の大きさや形状にかかわらず、容易に冊子に固定でき、一旦固定されると外れにくく、冊子の表紙を装飾することができる冊子カバーを提供する。【解決手段】冊子の背表紙と当接させる帯状の背表紙保護部１１と、背表紙保護部の一方の長辺側に設けられた表表紙保護部と、背表紙保護部の他方の長辺側に設けられた裏表紙保護部とを有し、背表紙保護部１１と、表表紙保護部１２と、裏表紙保護部１３とが、一枚のシートにより一体に形成する。さらに、シートの一方の面において、背表紙保護部が、冊子の背表紙に貼着するための第１粘着面を、表表紙保護部が、冊子の表表紙に貼着するための第２粘着面を、裏表紙保護部が、冊子の裏表紙に貼着するための第３粘着面をそれぞれ有し、第１粘着面、第２粘着面および第３粘着面が、それぞれ独立した第１剥離シート、第２剥離シートおよび第３剥離シートで保護されている。【選択図】図１Ａ
0003180829.tif 000002
【実用新案登録請求の範囲】
【請求項１】
冊子の背表紙と当接させる帯状の背表紙保護部と、
前記背表紙保護部の一方の長辺側に設けられた表表紙保護部と、
前記背表紙保護部の他方の長辺側に設けられた裏表紙保護部とを有し、
前記背表紙保護部と、前記表表紙保護部と、前記裏表紙保護部とが、一枚のシートにより一体に形成されており、
前記シートの一方の面において、
前記背表紙保護部が、前記冊子の背表紙に貼着するための第１粘着面を、
前記表表紙保護部が、前記冊子の表表紙に貼着するための第２粘着面を、
前記裏表紙保護部が、前記冊子の裏表紙に貼着するための第３粘着面をそれぞれ有し、
前記第１粘着面、前記第２粘着面および前記第３粘着面が、それぞれ独立した第１剥離シート、第２剥離シートおよび第３剥離シートで保護されている、冊子カバー。
【請求項２】
前記シートの他方の面において、前記表表紙保護部および前記裏表紙保護部の少なくとも一方が、任意の文字または図形を記載可能な情報入力領域を有する、請求項１記載の冊子カバー。
【請求項３】
前記表表紙保護部および前記裏表紙保護部の少なくとも一方が、前記冊子の表紙の一部のみを覆っている、請求項１または２記載の冊子カバー。
【請求項４】
前記第１粘着面、前記第２粘着面および前記第３粘着面が、いずれも前記冊子と着脱可能な粘着力を有する、請求項１〜３のいずれか１項に記載の冊子カバー。
【請求項５】
前記背表紙保護部が、前記冊子の任意のページに挿入可能な紐状のしおりを備える、請求項１〜４のいずれか１項に記載の冊子カバー。
【考案の詳細な説明】
【技術分野】
【０００１】
本考案は、書籍、ノート等の冊子の表紙を装飾する冊子カバーに関する。
【背景技術】
【０００２】
書籍、ノート等の冊子の表紙を覆うことで、表紙を装飾し、保護する機能を有する冊子カバーが、従来より広く利用されている。冊子カバーは、表表紙保護部および裏表紙保護部の少なくとも一方の端部に、ポケットを有する構造が一般的である。このポケットに冊子の表表紙または裏表紙を挿入することで、冊子が保持される。特許文献１は、右開き式と左開き式の両方の冊子に適用可能な冊子カバーを提案している。
【先行技術文献】
【特許文献】
【０００３】
【特許文献１】特開２００５−３５１９２号公報
【考案の概要】
【考案が解決しようとする課題】
【０００４】
しかし、近年、表表紙や裏表紙が矩形でなく、円形などの種々の形状を有する冊子も増えている。特許文献１の冊子カバーは、このような種々の形状を有する冊子に固定することは困難である。このような種々の冊子の形状に合わせてポケットや切り込み等を設ける場合、製造工程の複雑化や、コストの増大を招く。また、ポケットに冊子の表紙を差し込むだけでは、冊子の固定が不安定になるおそれがある。
【０００５】
そこで、本考案は、冊子の大きさや形状にかかわらず、容易に冊子に固定でき、一旦固定されると外れにくく、冊子の表紙を装飾することができる冊子カバーを提供することを目的とする。
【課題を解決するための手段】
【０００６】
本考案に係る冊子カバーは、冊子の背表紙と当接させる帯状の背表紙保護部と、背表紙保護部の一方の長辺側に設けられた表表紙保護部と、背表紙保護部の他方の長辺側に設けられた裏表紙保護部とを有し、背表紙保護部と、表表紙保護部と、裏表紙保護部とが、一枚のシートにより一体に形成されている。シートの一方の面において、背表紙保護部は、冊子の背表紙に貼着するための第１粘着面を、表表紙保護部は、冊子の表表紙に貼着するための第２粘着面を、裏表紙保護部は、冊子の裏表紙に貼着するための第３粘着面をそれぞれ有する。第１粘着面、第２粘着面および第３粘着面は、それぞれ独立した第１剥離シート、第２剥離シートおよび第３剥離シートで保護されている。
【０００７】
シートの他方の面において、表表紙保護部および裏表紙保護部の少なくとも一方が、任意の文字または図形を記載可能な情報入力領域を有することが好ましい。
表表紙保護部および裏表紙保護部の少なくとも一方は、冊子の表紙の一部のみを覆っていてもよい。
第１粘着面、第２粘着面および第３粘着面は、いずれも冊子と着脱可能な粘着力を有することが好ましい。
背表紙保護部は、冊子の任意のページに挿入可能な紐状のしおりを備えていてもよい。
【考案の効果】
【０００８】
本考案によれば、冊子の大きさや形状にかかわらず、容易に冊子に固定でき、一旦固定されると外れにくく、冊子の表紙を装飾することができる冊子カバーを提供することができる。
【図面の簡単な説明】
【０００９】
【図１Ａ】本考案の一実施形態に係る冊子カバーの構成を概略的に示す正面図である。
【図１Ｂ】同冊子カバーの背面図である。
【図１Ｃ】同冊子カバーのＣ−Ｃ面の断面図である。
【図２】同冊子カバーの具体的な使用方法の一例を示す概略図である。
【図３】本考案の他の実施形態に係る冊子カバーの構成を概略的に示す正面図である。
【考案を実施するための形態】
【００１０】
図１Ａは、本考案の一実施形態に係る冊子カバーの構成を概略的に示す正面図である。図１Ｂは同冊子カバーの背面図であり、図１Ｃは同冊子カバーのＣ−Ｃ面の断面図である。本考案に係る冊子カバー１は、帯状の背表紙保護部１１と、背表紙保護部１１の一方の長辺側に設けられた表表紙保護部１２と、背表紙保護部１１の他方の長辺側に設けられた裏表紙保護部１３とを有する。
【００１１】
背表紙保護部１１と、表表紙保護部１２と、裏表紙保護部１３とは、一枚のシートにより一体に形成されている。これにより、冊子カバー１を安価かつ容易に作製することができる。
冊子カバー１を構成するシートの一方の面において、背表紙保護部１１は第１粘着面１１ａを、表表紙保護部１２は第２粘着面１２ａを、裏表紙保護部１３は第３粘着面１３ａをそれぞれ有する。第１粘着面１１ａは、冊子の背表紙に貼着され、第２粘着面１２ａは、表表紙に貼着され、第３粘着面１３ａは、裏表紙に貼着される。
【００１２】
第１粘着面１１ａ、第２粘着面１２ａおよび第３粘着面１３ａは、それぞれ独立した第１剥離シート１１ｂ、第２剥離シート１２ｂおよび第３剥離シート１３ｂで保護されている。すなわち、本考案に係る冊子カバーは、第１剥離シート１１ｂ、第２剥離シート１２ｂおよび第３剥離シート１３ｂのうち、任意の剥離シートを剥離して、任意の粘着面のみを露出させることができる。これにより、冊子カバーを所定の順序で容易に冊子に固定することができる。
【００１３】
シートの他方の面において、表表紙保護部１２および裏表紙保護部１３の少なくとも一方は、任意の文字または図形を記載可能な情報入力領域１４を有することが好ましい。これにより、冊子カバー１に冊子の情報を記載してインデックス機能を持たせることや、所望の図形を記載してデザイン性を向上させることができる。更に、情報入力領域は、円形、矩形、多角形、フキダシ状、星形状、花形状などの任意の形状とすることができる。これにより、冊子カバーのデザイン性がより向上する。あるいは、情報入力領域の他に、デザイン性の観点から、任意の文字または図形を予め記載してもよい。
【００１４】
背表紙保護部１１は、冊子の任意のページに挿入可能な紐状のしおりを備えていてもよい。これにより、冊子を取り扱うときの利便性が更に向上する。
【００１５】
本考案に係る冊子カバーの使用方法について、図２を参照しながら説明する。
背表紙保護部１１は冊子２の背表紙２１と、情報入力領域１４を有する表表紙保護部１２は冊子２の表表紙２２と、裏表紙保護部１３は冊子２の裏表紙２３とそれぞれ当接させる。本考案に係る冊子カバー１は、第１剥離シート１１ｂ、第２剥離シート１２ｂおよび第３剥離シート１３ｂがそれぞれ独立しているため、任意の粘着面を保護する剥離シートのみをまず剥離して露出させることができる。例えば、図２（ａ）に示すように第１粘着面１１ａを保護する第１剥離シート１１ｂのみを剥離し、図２（ｂ）に示すように第１粘着面１１ａを冊子２の背表紙２１に貼着して、冊子カバー１の貼着位置を固定する。その後、図２（ｃ）、（ｄ）に示すように第２剥離シート１２ｂおよび第３剥離シート１３ｂを剥離して、第２粘着面１２ａを表表紙２２に、第３粘着面１３ａを裏表紙２３にそれぞれ貼着する。これにより、冊子カバー１を冊子２に容易に固定することができる。
【００１６】
表表紙保護部１２および裏表紙保護部１３は、いずれも、冊子２の表紙（表表紙２２および裏表紙２３）の全面を覆っていてもよく、図３に示すように、一部のみを覆っていてもよい。表紙の全面を覆う形状に比べて、一部のみを覆う形状の方が、冊子の任意の位置により貼着しやすく、扱いやすい。また、背表紙保護部１１の上端に紐状のしおり１５を設けることで、冊子カバーの利便性が向上する。表紙の一部のみを覆う場合でも、冊子の表紙を装飾する機能は十分に発揮されるとともに、冊子カバーで覆われている部分について、冊子の汚れや傷を防止することができる。
【００１７】
第１粘着面１１ａ、第２粘着面１２ａおよび第３粘着面１３ａに付着させる粘着剤は、任意の冊子２に対して十分な粘着性を発揮するものを適宜使用すればよい。具体的には、デンプン、天然ゴム、アクリル樹脂、ウレタン樹脂等を主成分とする粘着剤が挙げられる。なかでも、第１粘着面１１ａ、第２粘着面１２ａおよび第３粘着面１３ａは、いずれも冊子と着脱可能な粘着力を有することが好ましい。これにより、冊子２から脱落しないように貼着できる粘着力を確保しつつ、万一所望の位置と異なる位置に冊子カバー１を貼着した場合でも、容易に貼り直すことができ、冊子カバー２の扱いやすさが向上する。このような粘着力を確保する観点から、粘着剤は、アクリル樹脂を主成分とするものを用いることがより好ましい。
【００１８】
背表紙保護部１１の寸法は、ノート、書籍等の冊子２から脱落しないように背表紙２１に貼着できる面積を有すれば特に限定されず、冊子カバーを貼着する冊子の背表紙の寸法と略同一であることが好ましい。具体的には、背表紙保護部１１の長辺は、当接させる背表紙２１の長辺の寸法の７０％以上であることが好ましい。背表紙保護部１１の短辺は、当接させる背表紙２１の短辺の寸法の９０％以上、１１０％以下であることが好ましい。
【００１９】
表表紙保護部１２および裏表紙保護部１３の寸法は、冊子２から脱落しないように表表紙２２および裏表紙２３に貼着できる面積を有すれば特に限定されない。扱いやすさの観点から、表表紙保護部１２および裏表紙保護部１３の、背表紙保護部１１の長辺と平行な方向の最大幅は、当該背表紙保護部の長辺の寸法と略同一であることが好ましい。
【００２０】
表表紙保護部１２および裏表紙保護部１３の、背表紙保護部１１の長辺と直交する方向の最大幅は、それぞれ、当接させる表表紙２２および裏表紙２３の最大幅の４０％以上、１１０％以下であることが好ましい。これにより、冊子カバー１を十分な強度で冊子２２に貼着することができる。最大幅が１００％を超える場合、表表紙保護部１２および裏表紙保護部１３を折り返して貼着することで、冊子２の表紙の端部を高度に保護することもできる。また、表表紙保護部１２および裏表紙保護部１３に情報入力領域を配する場合、十分な面積の情報入力領域を確保することができるため、デザイン性の観点からも好ましい。
【００２１】
表表紙保護部１２および裏表紙保護部１３の平面形状は特に限定されず、例えば、略矩形、略円形、多角形等が挙げられる。デザイン性を考慮して、星形状、花形状などの任意の形状とすることもできる。
【００２２】
冊子カバー１の厚さは、２５〜２００μｍであることが好ましい。これにより、冊子カバーの強度と扱いやすさとを両立することができる。
【００２３】
冊子カバー１を構成するシートとしては、十分な強度を有し、かつ低コストである観点から、ポリエステル、ポリエチレンテレフタラート（ＰＥＴ）、ポリ塩化ビニル等の樹脂製のシート、フィルム、紙等を用いることが好ましい。シートは透明であってもよい。シートは単独の層からなるものであってもよく、複数の層を含むものであってもよい。
【００２４】
第１剥離シート１１ｂ、第２剥離シート１２ｂおよび第３剥離シート１３ｂの材質は、例えば冊子カバー１を形成するシートとして例示したものを任意に選択して用いることができる。第１剥離シート１１ｂ、第２剥離シート１２ｂおよび第３剥離シート１３ｂのうち、第１粘着面１１ａ、第２粘着面１２ａおよび第３粘着面１３ａと当接する面には、離型剤が付着していることが好ましい。これにより、粘着面の粘着力を確保しつつ、粘着面を保護することができる。
【産業上の利用可能性】
【００２５】
本考案に係る冊子カバーは、書籍、ノート、手帳などの種々の冊子に対して使用することができる。
【符号の説明】
【００２６】
１  冊子カバー
１１  背表紙保護部
１１ａ  第１粘着面
１１ｂ  第１剥離シート
１２  表表紙保護部
１２ａ  第２粘着面
１２ｂ  第２剥離シート
１３  裏表紙保護部
１３ａ  第３粘着面
１３ｂ  第３剥離シート
１４  情報入力領域
１５  しおり
２  冊子
２１  背表紙
２２  表表紙
２３  裏表紙
【図１Ａ】
0003180829.tif 000003
【図１Ｂ】
0003180829.tif 000004
【図１Ｃ】
0003180829.tif 000005
【図２】
0003180829.tif 000006
【図３】
0003180829.tif 000007